Podtech/llm-jp-corpus-v4-ja_patent huggingface dataset:
(57)【要約】【課題】  ＡＶ機器に連動して香りを発生させ、再び回収する装置【解決手段】  空気清浄機やエアコンのように、部屋の空気を脱臭フィルター越しに吸い込む。放出する過程では、通気管に香りの元をフィルター状にして挟む。この時、通気管とフィルター部分を挟みこむ両側部分を、ヘッドとしてＡＶ機器からの信号に対応して制御して、通気管も伸縮部分を設けて上下左右に可動してヘッドの動きに順じてフィルターを挟み込む。あるいは、フィルターを置くテーブル側をＡＶ機器からの信号で制御、移動させて、次に通気管のヘッドを、フィルターを挟む方向のみに可動させ、両側からフィルターの香り区分を挟み込む。映像ソフトに対応したフィルター状のカートリッジとして香りの元を交換すれば、ソフトに必要な分だけの香りの種類で良いので膨大な量にはならない。【選択図】  図１
2005261877.tif 000002
【特許請求の範囲】
【請求項１】
映像ソフトの内容に応じた香りの元をマトリクス状に区分して配備した交換可能のカートリッジ式フィルター
【請求項２】
１．エアコンなどのように、内蔵されたファンを回して、その動力で、部屋の空気を循環させる構造を持っている。
２．請求項１のフィルターを使用して、香りを発生させ、その後の香気を消臭フィルター越しに吸収する。
３．請求項１のフィルターは、香りを吸引、放出する過程の配管部分に使用する。
４．請求項１のフィルターへの接続に関しては、配管部分を二つに分けて、それぞれＡＶ機器からの信号によって制御されるヘッドを使用し、フィルターのマトリクス状で必要な香り区分にヘッドが移動してフィルターを挟みこむ。
以上のような特徴を持つ香気装置。
【請求項３】
請求項２の４番目の部分において、フィルターカートリッジの方を、移働させて制御し、その後、二つのヘッドのついた通気管で挟み込む構造とした請求項２の香気装置。
【発明の詳細な説明】
【発明の属する技術的な分野】
【０００１】この発明は、オーディオ・ビジュアル機器に連動して、香りを発生、吸引できる装置に関するものである。香りの元は、映像ソフトに対応したフィルターカートリッジ方式とする。
【背景技術】
【０００２】従来は、香りを発生させるだけで、香りを吸引していない。また映像ソフトに連動した香りソフトが存在していない。
【発明の開示】
【発明が解決しようとする課題】
【０００３】映像にあわせた香りの空間を作るには、前に放出した香りが残ってしまい、次に発生させる香りの効力が得られない。香りの元は、膨大な量になってしまい、香りの元を集積したとしても、数多くの香りをすべて集積することは困難を極める。
【課題を解決するための手段】
【０００４】空気清浄機やエアコンのように、部屋の空気を脱臭フィルター越しに吸い込む。放出する過程では、通気管に香りの元をフィルター状にして挟む。この時、通気管とフィルター部分を挟みこむ両側部分を、ヘッドとしてＡＶ機器からの信号に対応して制御して、通気管も伸縮部分を設けて上下左右に可動してヘッドの動きに順じてフィルターを挟み込む。あるいは、フィルターを置くテーブル側をＡＶ機器からの信号で制御、移動させて、次に通気管のヘッドをフィルターを、挟む方向のみに可動させ、両側からフィルターの香り区分を挟み込む。映像ソフトに対応したフィルター状のカートリッジとして香りの元を交換すれば、ソフトに必要な分だけの香りの種類で良いので膨大な量にはならない。
【発明を実施するための最良の形態】
【０００５】人が座ったとき、顔ぐらいの位置に吸気口を配し、排気口としては、それよりも下に位置しておく、すると香りの対流が下から上の顔の辺りに流れるので、香りが感じられる上に速やかに匂いの回収が行われる。
機械内部の構造は、エアコン内部のようにファンを使って、吸気と排気を行う。吸気の際に、空気清浄機のような脱臭フィルターを通して、吸い込んだ香気を脱臭しておく。その後、カートリッジ式にした映像ソフトに対応させたフィルターを通して排気する。その際に、カートリッジフィルターにはマトリクス状に香りの元を区分しておき、通気管の間にフィルターを通す。フィルターの通す方法は、通気管の送風する側と通気管の香気を受け取る側にヘッドを設けておき、通気管には伸縮部分を作り、ＡＶ機器からの信号に対応して、両側のヘッドを制御して、通気管をカートリッジフィルターのマトリクス状での必要な香り区分に移動させて、通気管の両側ヘッドで挟みこむ。あるいは、フィルターカートリッジを乗せたテーブルをＡＶ機器からの信号に対応して制御し、その後、通気管のヘッドをフィルター方向に可動させ両側から挟み込む。
【発明の効果】
【０００６】映像に対応させて、香りを変える場合、前の香りを素早く除き、新しい香りを放出することができるので、臨場感をもたらすことができる。香りの元も映像ソフトに対応させるカートリッジとし、マトリクス状にすることによって大きさを抑えることができる。通気管の方を動かすとフィルターが動かないので、装置が大きくならずに済むが、管を上下左右に四方向に動すために、管の形状から動かし難い。カートリッジの方を動かす場合は、管が固定できるので、上下にだけ挟むために移動できれば良いが、フィルターの動く範囲が広くなるので、フィルターを動かす範囲の多くの空間が必要になる。状況に応じて選択する。
【図面の簡単な説明】
【０００７】
【図１】  本発明の簡略化した装置の実施例を示した側面図である。
【図２】  本発明の請求項１の斜面図である。
【図３】  本発明の請求項２の実施例を示した一部斜面図である。
【図４】  本発明の請求項３の使用実施例を示した一部斜面図である。
【符号の説明】
【０００８】  １．香料  ２．カートリッジ式フィルター  ３．移動ヘッド
４・伸縮自在部分  ５．フィルターテーブル
６．脱臭フィルター  ７．吸引口  ８．ファン
９．放出口  １０．香気  １１．通風口  １２．通風管
【図１】
2005261877.tif 000003
【図２】
2005261877.tif 000004
【図３】
2005261877.tif 000005
【図４】
2005261877.tif 000006
(57)【要約】      （修正有）【課題】肩の辺りに隙間ができたり、寒気が入り込み足先が冷えることのない防寒用毛布を提供する。【解決手段】毛布にベルクロテープ等で付け替え（取り外し）が効き、首の部分からの寒気が入るのを防ぐための、又、足の部分に保温のための生地を取付けられるようにする。【選択図】図１
2005261874.tif 000002
【特許請求の範囲】
【請求項１】
冬期に、肩に掛ける部分と足先の折り込む部分に生地を取付けることにより、就寝中の保温効果守ることを特徴とする毛布。
【請求項２】
前記の肩に掛ける部分と足先の部分は、薄手の生地で脱着式とし、独自で洗濯することができる生地となっていることを特徴とする請求項１記載の毛布。
【発明の詳細な説明】
【技術分野】
【０００１】  この発明は、防寒用毛布の形状に関する。
【背景技術】
【０００２】  従来の毛布では、図１に示すように従来の毛布に、首と足先の部分にアダプターとして別の生地を取付けられるようにしたものである。
【発明の開示】
【発明が解決しようとする課題】
【０００３】  しかしながら、従来の技術によれば、室内の温度が寒い時に足先が冷えたり、又首もとの隙間から冷気が入ったりするため、目が覚めたり最悪の場合風邪をひく可能性があった。
そこで、この発明は、冬の厳冬期に足先の部分と首の部分の生地を取付けることによって防寒効果を提供することを課題とする。
【課題を解決するための手段】
【０００４】  以上の課題を解決するために、第一発明は、従来の毛布にベルクロテープにより足先の部分に脱着式の折り返し用の生地を設けたことを特徴とする毛布である。
また、第二発明は、同じく首の部分に冷気の侵入を防ぐ生地を取付け可能なことが特徴とする毛布である。
【発明の効果】
【０００５】  第一発明、または第二発明によれば、毛布にこれらの生地を増やすことによって、冷気の進入を防ぐことにより、快眠が得られやすくなる。
【発明を実施するための最良の形態】
【０００６】  この発明の一実施形態を、図１に示す。
首の部分は、薄手の防寒性のある薄い生地を使い２０−３０ｃｍ、足先の部分は、首の部分と同じ生地を約３０ｃｍの長さとする。【０００７】「実施形態の効果」
この実施形態によれば、足先の部分２は折り返し袋状とし、間に足を入れることにより、足先の冷えを防ぎ、又首の部分３は首に折り込むように重ね隙間を極力なくすことにより、寝返りを打っても冷気の進入を防ぐ。【０００８】「他の実施形態」
図１の実施形態では、防寒用であったが、他の実施形態では、これらの生地を取付けない場合は春秋用としても使用もできる。
【図面の簡単な説明】
【０００９】
【図１】この発明の一実施形態を示す図である。
【符号の説明】
【００１０】      １  毛布本体                    ２  首部分の生地
３  足部分の生地
【図１】
2005261874.tif 000003
【図２】
2005261874.tif 000004
【手続補正書】
【提出日】平成16年5月25日(2004.5.25)
【手続補正１】
【補正対象書類名】明細書
【補正対象項目名】０００９
【補正方法】変更
【補正の内容】
【０００９】
【図１】  この発明の一実施形態を示す図である。
【図２】  〔図１〕の断面の形態を示す図である。
(57)【要約】【課題】            強く締められていても容易に解け、しかも瞬時にバンドを用具から開放するバンド締め具の提供。【解決手段】        環形状１の一部を開放して先端にアーム３を設けたＬ部２に、同じく先端にアーム５を設けたＬ部４を併設する。【選択図】          図１
2005261619.tif 000002
【特許請求の範囲】
【請求項１】
環形状１の一部を開放して先端にアーム３を設けたＬ部２に、同じく先端にアーム５を設けたＬ部４を併設することを特徴としたバンド締め具。
【発明の詳細な説明】
【技術分野】
【０００１】
本発明は強く締めて瞬時に解けるバンド締め具に関するものである。
【背景技術】
【０００２】
従来、バンド締め具の発明は多数あるが中でも簡単な用具で締められるものにＯ環締め具、Ｄ環締め具、フランス環締め具等がある。
【発明の開示】
【発明が解決しようとする課題】
【０００３】
Ｏ環締め具、Ｄ環締め具、フランス環締め具等は強く締めてしまったら容易に弛まないので解きにくく、又バンドを環の中を通して絡めるためバンドの先端から通して締め、そして解くときはバンドの先端まで引き抜かなければ解き終わらないという面倒な動作をしなければならない。
【０００４】
締め具の機能は強く締められて弛まない事が重要であるが同時に解く事も重要であり、両方の機能が十分発揮出来る事が締め具の完成である。
【課題を解決するための手段】
【０００５】
環形状１の一部を開放して先端にアーム３を設けたＬ部２に、同じく先端にアーム５を設けたＬ部４を併設する。
【発明の効果】
【０００６】
本発明の締め具は、Ｌ部２、Ｌ部４を利用して強く締めてもアーム３、アーム５を利用することによって容易に解くことが出来る。又しかも瞬時に用具からバンドを解放することができるので解く仕事時間を極度に短縮することが出来る。
【発明を実施するための最良の形態】
【０００７】
環形状１の一部を開放してＬ部２、その先端に斜め上向にアーム３を設ける。そして基端部にスプリング７、先端にアーム５を設けたＬ部４を固定子６で環形状１の所定位置に併設する。
【０００８】
Ｌ部４の基端部は固定子６を自由に上下及び回転運動が出来る。又スプリング７はＬ部２とＬ部４の間隔を開きバンドを絡め易くする。
【０００９】
環形状１の開放による強度については、用途に応じて材質又は材料の太さによって補う。
【実施例１】
【００１０】
バンドをＬ部に絡めて締める動作の順序について図２、図３を参照に説明する。
バンド９をＬ部４及びＬ部２に外側から手前に掛け、次にアーム５の下からアーム３に掛け、下方に引く。以上の動作で図３に示すようにバンド９はＬ部４とＬ部２に絡みバンド９を強く引くことによって強く締る。
【００１１】
バンド９に輪を作り輪の中にアーム５を通してＬ部４とＬ部２に絡ませても図３と同じ様に出来る。
【実施例２】
【００１２】
締まったバンドを解く動作の順序について図４、図５を参照に説明する。
図４示すように、バンド９をアーム３の外側から掛けアーム５の間を通して下方に引く。以上の動作で図５に示すようにＬ部４とＬ部２に絡んで強く締まったバンド９は容易に解け、又瞬時に用具からバンド９は開放される。
【産業上の利用可能性】
【００１３】
強く締められても容易に解かれ、又瞬時に開放出来る機能は緊急時には必要不可欠であり、たとえば緊急用具や救命用具への利用等従来０環締め具、Ｄ環締め具、フランス環締め具が利用不可能だった用途にも利用範囲を広げることが可能である。
【図面の簡単な説明】
【００１４】
【図１】本発明の概観図。
【図２】バンド９をアーム３、アーム５を利用してＬ部４、Ｌ部２に絡ませる様子の本発明の概観図。
【図３】バンド９がＬ部４、Ｌ部２に絡んだ様子の本発明の概観図
【図４】Ｌ部４、Ｌ部２に絡んだバンド９をアーム３、アーム５を利用して解く様子の本発明の概観図。
【図５】Ｌ部４、Ｌ部２に絡んだバンド９が解け、開放された様子の本発明の概観図。
【符号の説明】
【００１５】
１  環形状
２  Ｌ部
３  アーム
４  Ｌ部
５  アーム
６  固定子
７  スプリング
８  バンド
９  バンド
【図１】
2005261619.tif 000003
【図２】
2005261619.tif 000004
【図３】
2005261619.tif 000005
【図４】
2005261619.tif 000006
【図５】
2005261619.tif 000007
(57)【要約】【課題】  用便中に全身を隠蔽することができるので、安んじて用を足すことができ、構造が簡単で、設置に手間や時間がかからない用便用遮蔽具を提供すること。【解決手段】  使用者の頭部に装着可能な傘部１と、傘部１の周縁から下方に垂れ下がる筒状の遮蔽幕２とから成り、遮蔽幕２は、座った状態で使用者の頭部から足に達する長さを有し、遮蔽幕２には開閉可能な開口部７を形成してある。【選択図】          図１
2005261700.tif 000002
【特許請求の範囲】
【請求項１】
使用者の頭部に装着可能な傘部と、該傘部の周縁から下方に垂れ下がる筒状の遮蔽幕とから成り、該遮蔽幕は、座った状態で使用者の頭部から足に達する長さを有すると共に、前記遮蔽幕に開閉可能な開口部を形成したことを特徴とする用便用遮蔽具。
【請求項２】
筒状の遮蔽幕の上縁に沿って引き絞り紐を摺動自在に通し、前記遮蔽幕の上部を前記傘部の上面に被せ、前記引き絞り紐を絞って前記遮蔽幕の上縁を縮めることにより、前記傘部の上面に遮蔽幕を着脱自在に取り付けた請求項１に記載の用便用遮蔽具。
【請求項３】
前記開口部は、前記遮蔽幕の上端部から下端部に達するスリットから成り、該スリットに沿って内側からのみ開閉操作するスライドファスナを装着した請求項１又は２に記載の用便用遮蔽具。
【発明の詳細な説明】
【技術分野】
【０００１】
本発明は、遮蔽された空間以外で用便の際に使用する用便用遮蔽具に関する。
【背景技術】
【０００２】
災害時、或いはキャンプ等で屋外に宿泊する場合や、走行中の道路が渋滞したり、歩行が困難でトイレに行けない場合には、やむを得ず遮蔽されていない空間で用を足さなければならないことがある。
このような場合は、周囲に気を使うと共に、恥ずかしさで非常な苦痛を感ずることが多い。
そこで、用便中に布カバーで下腹部を隠蔽できる介護用具が提案されている（特許文献１参照）。
しかし、このような器具は構造が複雑であるばかりか、下腹部を隠しただけでは、用便中であることが周囲から見られてしまい、使用者の苦痛を完全に無くすことはできない。
【０００３】
【特許文献１】実開平７−２４３２３号公報
【発明の開示】
【発明が解決しようとする課題】
【０００４】
本発明が解決しようとする課題は、用便中に全身を隠蔽することができるので、安心して用を足すことができ、構造が簡単で、設置に手間や時間がかからない用便用遮蔽具を提供することにある。
【課題を解決するための手段】
【０００５】
本発明の用便用遮蔽具は、使用者の頭部に装着可能な傘部と、該傘部の周縁から下方に垂れ下がる筒状の遮蔽幕とから成り、該遮蔽幕は、座った状態で使用者の頭部から足に達する長さを有すると共に、前記遮蔽幕に開閉可能な開口部を形成してある。
筒状の遮蔽幕の上縁に沿って引き絞り紐を摺動自在に通し、前記遮蔽幕の上部を前記傘部の上面に被せ、該引き絞り紐を絞って前記遮蔽幕の上縁を縮めることにより、前記傘部の上面に遮蔽幕を着脱自在に取り付けても良い。
前記開口部は、前記遮蔽幕の上端部から下端部に達するスリットとし、該スリットに沿って内側からのみ開閉操作するスライドファスナを装着することもできる。
【発明の効果】
【０００６】
本発明によれば、用便中に遮蔽幕で全身を隠すことができるので、野外等の遮蔽されていない空間でも、羞恥心を引き起こすことなく安心して用を足すことができる。
また、構造が簡単であり、使用者が傘部を頭部に装着することによって支持されるので、設置するのに時間や手間がかからない。
【発明を実施するための最良の形態】
【０００７】
以下、本発明の実施例を図面に基づいて詳細に説明する。
本発明の用便用遮蔽具は、図１及び図２に示すように、使用者の頭部に装着可能な傘部１と、傘部１の周縁から下方に垂れ下がる筒状の遮蔽幕２とから成る。
傘部１は、折り畳み傘とほぼ同様な構造であって、図３に示すように、短い支軸３の周囲に開閉可能な複数の骨４を放射状に張り出し、骨４の上面にシート５を張って成る。
また、傘部１を頭部に取り付けるために、支軸３の下端には冠状で顎紐６’を有する係止具６が設けられる。
【０００８】
遮蔽幕２は、外部から透けて見えない不透明な布或いはプラスチックシートを素材とし、図４に示すように、上下両端が開口した筒状に形成される。
遮蔽幕２の直径は傘部１の直径よりやや大きく、遮蔽幕２の高さは、使用者が座った状態でその頭部から足に達する長さ（１２０ｍｍ〜１５０ｍｍ程度）とする。
また、遮蔽幕２の前面には、上端から下端に達するスリットより成る開口部７が軸方向に沿って形成され、開口部７に沿って、内側からのみ開閉操作するスライドファスナ８が装着されている。
【０００９】
遮蔽幕２の上端は折り返して縫製され、上縁に沿って紐通し部９が形成される。紐通し部９には引き絞り紐１０が摺動自在に挿通され、遮蔽幕２を傘部の上面に被せ、引き絞り紐１０を絞って遮蔽幕２の上縁を縮めることにより、遮蔽幕２が傘部１の上面に取り付けられる（図１及び図２）。
従って、引き絞り紐１０を緩めると、遮蔽幕２と傘部１とを簡単に分離することができる。
【００１０】
用を足す際には、傘部１の上面に遮蔽幕２を取り付けて、遮蔽幕２を傘部１の周縁から垂れ下げておき、開放した開口部７を通して遮蔽幕２の内側へ入ってから、係止具６により傘部１を頭部に装着する。
この状態で、図１に示すように、使い捨て便器に腰掛け、次いで、図２に示すように、内側からスライドファスナ８を閉じる。
すると、使用者の頭部から足までが完全に遮蔽幕２で隠蔽されるので、安心して用を足すことができる。
【００１１】
この用便用遮蔽具の内部で使用する使い捨て便器は、市販のものでも良いが、ダンボール箱の内面にプラスチック袋を重ねたものを用いることもできる。
ダンボール箱は、使用しないときは平らに畳んでおき、使用する際には、四方の蓋を内側に折り畳んで側壁を二重にし、使用者の体重に耐えられるようにする。
また、用便用遮蔽具を使用しない時は、遮蔽幕２を傘部１と分離して折り畳み、傘部１を閉じると、全体が非常に小型になり、上記したように使い捨て便器に用いるダンボール箱も平らに折り畳むことができるので、嵩張らず、収納や携帯に便利である。
【００１２】
なお、傘部１の係止具６は、ベルト状或いはヘルメット状としても良く、傘部１の周縁に遮蔽幕２の上縁を固定しても良い。
また、開口部７を開閉するために、スライドファスナ８以外の止め具、例えば、ベルベットクロスファスナ、ボタン等を用いることも可能である。
【図面の簡単な説明】
【００１３】
【図１】本発明の実施例を示す用便用遮蔽具の開口部開放状態における斜視図。
【図２】本発明の実施例を示す用便用遮蔽具の開口部開放状態における斜視図。
【図３】本発明の実施例に係る傘部の斜視図。
【図４】本発明の実施例に係る遮蔽幕の斜視図。
【符号の説明】
【００１４】
１  傘部
２  遮蔽幕
３  支軸
４  骨
５  シート
６  係止具
６’  顎紐
７  開口部
８  スライドファスナ
９  紐通し部
１０  引き絞り紐
【図１】
2005261700.tif 000003
【図２】
2005261700.tif 000004
【図３】
2005261700.tif 000005
【図４】
2005261700.tif 000006
(57)【要約】【課題】手間を掛けることなく簡単な工程により指輪の表面に鮮明な写真画像を形成することを目的とする。  【課題を解決するための手段】指輪１の表面にレーザーマーキングの彫刻により形成された写真画像２を有する。指輪への写真画像形成方法は、装置を駆動するための加工データに変換し、指輪をレーザーマーキング装置にセッティングし、不活性ガス雰囲気内でレーザー彫刻して写真画像を指輪に形成する。【選択図】図２
2005261675.tif 000002
【特許請求の範囲】
【請求項１】
指輪の表面にレーザーマーキングで彫刻された写真画像を有することを特徴とする指輪。
【請求項２】
撮影された写真を画像処理装置に入力し、二階調で読み込みデータ化し、さらにレーザーマーキング装置を駆動するための加工データに変換し、指輪をレーザーマーキング装置にセッティングし、不活性ガス雰囲気内でレーザー彫刻して写真画像を指輪に形成することを特徴とする指輪への写真画像形成方法。
【発明の詳細な説明】
【技術分野】
【０００１】
本発明は、表面にレーザーマーキングにより写真画像を彫刻した指輪及び指輪の表面に写真画像をレーザーマーキングにより彫刻する写真画像形成方法に関する。    
【背景技術】
【０００２】
結婚指輪の内面あるいは外面に二人を撮影した写真画像を刻設した指輪が知られている。例えば、特許文献１（特許第３１２７２６０号）には、写真図形を入力されたコンピュータの図形処理により黒白コントラストの２階調化処理を施し、２階調化処理図形に基づいて黒白正像フィルムを作成し、黒白正像フィルムを介して金、銀あるいはプラチナなど貴金属素材よりなる指輪の面に白正像フィルムの白地部分に対応して感光性レジストを感光させて形成したレジスト画像を定着し、定着されたレジスト画像の残余部分をサンドブラスト処理して写真を刻設することが開示されている。
【特許文献１】特許第３１２７２６０号
【発明の開示】
【発明が解決しようとする課題】
【０００３】
前記のサンドブラスト処理による加工方法では、サンドブラスト処理に黒白正像フィルムを使用してレジスト画像を定着させる必要があり、さらにサンドブラスト後洗浄が必要となり、工程が複雑となるという欠点がある。また、サンドブラスト処理は、微粒子を噴射して加工するために微細な彫刻ができず、写真画像を鮮明に形成できないという欠点がある。
【０００４】
また、前記のサンドブラスト処理では、微粒子を噴射して粗面化するために微粒子が飛び散って周囲が汚れ、さらに、微粒子の回収作業が必要となり手間がかかるという欠点がある。
【０００５】
そこで、本発明は、手間を掛けることなく簡単な工程により指輪の表面に鮮明な写真画像を形成することを目的とする。  
【課題を解決するための手段】
【０００６】
本発明の指輪は、指輪の表面にレーザーマーキングで彫刻された写真画像を有することを特徴とする。
【０００７】
また、本発明の指輪への写真画像形成方法は、撮影された写真を画像処理装置に入力し、二階調で読み込みデータ化し、さらにレーザーマーキング装置を駆動するための加工データに変換し、指輪をレーザーマーキング装置にセッティングし、不活性ガス雰囲気内でレーザー彫刻して写真画像を指輪に形成することを特徴とする。
【発明の効果】
【０００８】
本発明の指輪は、写真画像をレーザーマーキング装置により彫刻して形成するので、従来のサンドブラスト処理に比べて鮮明な写真画像が形成される。
【０００９】
また、本発明の写真画像形成方法は、指輪を前処理する必要がなく、また、写真画像形成後の後処理も必要ないので、手間を掛けることなく容易に写真画像を形成することができる。
【発明を実施するための最良の形態】
【００１０】
本発明による指輪への写真画像形成方法について説明する。図１は本発明による写真画像形成方法の工程図である。
【００１１】
（１）写真撮影
例えば結婚指輪に写真画像を形成する場合、二つの指輪に同じ写真を形成するために二人で一緒に撮影した写真、あるいは指輪に相手の顔写真を形成する場合には各人を撮影した写真を用意する。
【００１２】
（２）データ作成・画像処理
撮影された写真はスキャナーを用いてデジタル化し、画像処理装置に入力する。なお、デジタルカメラや携帯電話で撮影した画像を画像処理装置に入力して利用することもできる。
【００１３】
画像処理装置では二階調（白、黒）で読み込みデータ化する。ハーフトーン（中間色）をデータに反映させることにより微細な写真画像データを作成する。
【００１４】
（３）加工データ化
画像処理装置では、さらにレーザーマーキング装置を駆動するための加工データに変換する。
【００１５】
（４）セッティング
指輪をレーザーマーキング装置の指輪保持治具にセッティングする。指輪保持治具は、加工中に適正なレーザー入光角度設定、回転などの３次元要素に基づいて姿勢を変更可能に設けられる。したがって、凹凸やＲ形状、角度のついた通常では加工しにくい箇所へのマーキングも可能となる。指輪とレーザの光軸の位置合わせはＣＣＤカメラを搭載することで容易にでき、指輪と光軸のズレや曲がりを防ぐことができる。
【００１６】
（５）レーザーマーキング
ＹＶＯ４レーザーを用いて指輪の表面に微細なマーキングを実施して写真画像を形成する。彫りの深さは、材質により異なるが、約５μ〜２０μの微細の加工ができ、鮮明な写真画像を得ることができる。レーザーには、例えば、ＹＡＧ第二高調波（５３２ｎｍ）を使用し光軸の移動を伴い単軸で加工する。
【００１７】
また、金属材料は一般的に大気雰囲気内において高温で加工すると、金属表面にスケールが生じて外観イメージを悪くするので、窒素、アルゴンあるいはヘリウムなどの不活性ガス雰囲気内でマーキングしてスケールの発生を防止して視認性の良いマーキングを行うことができる。レーザーマーキングは、表面処理を施した指輪や完成品などで洗浄工程の行えないものに最適である。
【００１８】
図２は本発明による方法で写真画像を形成した指輪の斜視図である。本発明では、レーザーマーキングにより従来のサンドブラスト処理に比べて容易に指輪１の表面に鮮明な写真画像２を形成することができる。
【００１９】
また、従来の加工方法（打刻、彫刻、腐食、印刷など）と比較して高歩留まり高品質である。さらに、水や油を使用することなくドライな雰囲気で加工できるので、完成品にも自由に加工できる。
【図面の簡単な説明】
【００２０】
【図１】本発明による写真画像の形成方法の工程図である。
【図２】本発明により写真画像が形成された指輪の斜視図である。
【符号の説明】
【００２１】
１：指輪
２：写真画像
【図１】
2005261675.tif 000003
【図２】
2005261675.tif 000004
(57)【要約】      （修正有）【解決手段】荷電した導体間、例えば、その形状、寸法、相互の間隔から容量のわかっている極板間に働く静電力を天秤などで測定し、その時の電圧を算出する方法はよく知られている。この現象を応用して、一方の電極を固定し、他方の電極を可動構造として、動力として取りだすものである。【効果】いままでの電磁石をもちいたものに比べ、理論上、大きなエネルギーを得ることができる。【選択図】図１
2005261174.tif 000002
【特許請求の範囲】
【請求項１】
誘電体中に、プラスとマイナスの電極をおき、そのいずれかに直流電圧をかけ、もう  一方に、交流電圧をかける。
【請求項２】
電極は、いずれか一方を、可動電極とし、もう一方を固定電極とする。
【発明の詳細な説明】
【技術分野】静電気【０００１】本発明は、始めのうちは時計用の動力に使い、いずれは、電気自動車の動力に使える。
【背景技術】
【０００２】今までは、電磁力による電動機のみ。
【特許文献１】
【非特許文献１】日本資格技能協会  電検３種テキスト問題
【発明の開示】
【発明が解決しようとする課題】
【０００５】電気の公式から、電磁力よりもクーロン力の方が、大きな力がでる。
【課題を解決するための手段】
【０００６】本発明による動力は、極板間の電圧の大きさと、極板間の距離と、極板の面積できまる。【０００７】本発明の単振動の速さは、交流電圧側の周波数でかわる。
【発明の効果】
【０００８】本発明が実用化されれば、人類の未来に貢献できる。
【発明を実施するための最良の形態】
【０００９】以下、本発明の実施の形態を図１から図２で説明する。【００１０】図１は斜めから見た断面図である。【００１１】図２は全体図である。
【実施例】
【００１２】残念ながら、いまだに理論だけである。
【産業上の利用可能性】
【００１３】最初は模型を作って実験して、いずれは電気自動車に使う。
【図面の簡単な説明】
【００１４】
【図１】斜めから見た断面図
【図２】全体図
【符号の説明】
（符号１）可動電極
（符号２）固定電極
（符号３）他励式インバータ
（符号４）発信回路
（符号５）パイプ
【図１】
2005261174.tif 000003
【図２】
2005261174.tif 000004
(57)【要約】【課題】  ロール状に巻かれたトイレットペーパーやペーパータオル等に使用する厚さ、坪量、エンボス等表面形状の違いに適合した剥がし易い糊及びその糊を使用したトイレットペーパーまたはペーパータオルを提供するものである。【解決手段】  テールシールを施したロール状に巻かれたペーパー類において、該テールシールのシール糊に剥離調整剤として該シール糊の全重量に対し０．１％〜１０％のグリセリンあるいは平均分子量２０００以下のポリアルキレングリコール又はその誘導体を加えたことを特徴とするロール状ペーパー類。【選択図】  なし【特許請求の範囲】
【請求項１】
テールシールを施したロール状に巻かれたペーパー類において、該テールシールのシール糊に剥離調整剤として該シール糊の全重量に対し０．１％〜１０％のグリセリンあるいは平均分子量２０００以下のポリアルキレングリコール又はその誘導体を加えたことを特徴とするロール状ペーパー類。
【請求項２】
シール糊がでんぷん、ポリビニルアルコールまたはカルボキシメチルセルロースを各単独もしくは２種類ないしは３種類を混合したものを主成分とする請求項１記載のロール状ペーパー類。
【請求項３】
ロール状に巻かれたペーパー類がトイレットペーパーまたはペーパータオルである請求項１または２記載のロール状ペーパー類。
【請求項４】
ロール状に巻かれたペーパー類の巻き始め部分にシール糊を施した請求項１から３までのいずれか１項記載のロール状ペーパー類。
【請求項５】
でんぷん、ポリビニルアルコール、カルボキシメチルセルロースを単独または２種類または３種類を混合したものを主成分としこれに剥離調整剤として全重量に対し０．１％〜１０％のグリセリンまたは平均分子量２０００以下のポリアルキレングリコールまたはその誘導体を加えたことを特徴とする剥がし易い糊。
【請求項６】
ロール状に巻かれたトイレットペーパーまたはペーパータオルのテール部分および／または巻き始め部分に使用される請求項５の剥がし易い糊。
【発明の詳細な説明】
【技術分野】
【０００１】
本発明は剥がし易い糊及びこれを用いてロールペーパー類のテール部分および巻き始め部分に糊付けているトイレットペーパー等のロールペーパー類に関する。
【背景技術】
【０００２】
ロール状に巻かれたトイレットペーパーやペーパータオルは、テール部分（巻き終わり）及び巻き始め部分を糊付けしている。
この糊の特徴は、初期接着性に優れており、かつ消費者が使用する時は、テールシール（巻き終わり部分の糊付け）部がスムーズに剥がれることである。
又、吸収性のよいトイレットペーパー等において、糊を塗ったシート以外のシートへの糊の浸透ができるだけ少ないことである。
この糊は工業用に調合市販されているが、トイレットペーパーやペーパータオルの紙厚、坪量、エンボスによる表面形状の違い等で、糊付け強さが異なる。糊の塗布量、有効成分の濃度で、ある程度糊の接着強さをコントロールできるが、糊の浸透性や乾燥速度が変化するので操業性及び品質に影響する。
即ち、糊の塗布量が多いとテール部分がコンベアー上で擦れてちぎれたり、剥れたりし易い。また、糊が浸透しすぎると剥がす際、下層のシートまで破けてしまう。
【０００３】
【特許文献１】実開昭６１−９５３８９号公報
【特許文献２】特開２０００−２２９０４６公報
【発明の開示】
【発明が解決しようとする課題】
【０００４】
ロール状に巻かれたトイレットペーパーやペーパータオル等に使用する厚さ、坪量、エンボス等表面形状の違いに適合した剥がし易い糊及びその糊を使用したトイレットペーパーまたはペーパータオルを提供するものである。
【課題を解決するための手段】
【０００５】
本発明はでんぷん、ポリビニルアルコール、カルボキシメチルセルロースを単独または２種類または３種類を混合したものを主成分（全有効成分の中で１０％以上を占める成分）とする糊において、剥離調整剤として全重量に対し０．１％〜１０％グリセリン又は平均分子量２０００以下のポリアルキレングリコール又はその誘導体を加えた糊、および上記糊を巻き始めまたは／およびテールシールに使用したロール状ティシュペーパーに関するものである。
【発明の効果】
【０００６】
市販のグルーに０．１〜１０重量％のグリセリンあるいは平均分子量２０００以下のポリアルキレングリコールまたはその誘導体を添加することによりトイレットペーパーやペーパータオルのテール部分（巻き終わり）のシール糊に使用した場合にテールシールがスムーズに剥がれることが認められ、グルーの剥離調整剤としての効果に優れている。
これは上記の剥離調整剤の効果により、糊が乾燥した後も糊に水分を微量保持させることにより、適度な生乾き状態が維持され、接着面が剥がし易くなると考えられる。
【発明を実施するための最良の形態】
【０００７】
以下に本発明の実施例を示すが、これは例示の目的で掲げられたもので、これによって本発明を制約するものではない。
【実施例】
【０００８】
市販グルーにグリセリン又はポリエチレングリコール（平均分子量  １０００）を対グルー０．５，１，２，５，１０％添加し、実施例のグルーを作成しテールシール用グルーとして、２プライトイレットペーパー（スコッティーフレグランス）に０．５ｇ塗布した。
市販グルー単体を比較例として、浸透性、初期接着性、剥がし易さ、乾燥剥離強度について評価した。結果は表１、２に示す。
【０００９】
【表１】
2005261736.tif 000002
【００１０】
【表２】
2005261736.tif 000003
【００１１】
初期接着性：テールシールを行なった直後のロールを、１ｍの距離ころがしてテールシール部の剥がれ状態で評価した。
○：剥がれなし  △：一部剥がれあり  ×：全面剥がれ
剥がしやすさ：テールシールを剥がして、２枚目のシートの破損状態で評価した。
○：破損なし  △：一部破損はあるが使用上問題なし  ×：２枚目シート使用不可
乾燥剥離強度：テールシール後、４８時間室温で放置しテールシール部の糊が完全に乾燥したことを確認後、テンシロン万能試験機で１８０度剥離試験を行なった。
引っ張りスピード：３００ｍｍ×ｍｉｎ
試験片          ：１５０×１１４ｍｍ
(57)【要約】【課題】      針が掛け止めしやすい釣り用仕掛ケ−スを提供すること。【解決手段】  二つ折り可能な皮革や合成樹脂の台板２の上の左右に多孔質材からなる柔軟性を有する中子３が貼着固定され、中子３を包み込むように柔軟性を有する多孔質シ−ト４が台板２の上に敷設されて貼着固定されている。  台板２の周囲は縁取り５され、縁取り５の内側に台板２を二つ折りに閉じるファスナ−６が取り付けられている。  中子３を包み込むように柔軟性を有する多孔質シ−ト４が台板２の上に敷設されると、中子３の外側の多孔質シ−ト４の部分は膨出状態となって台部からなる針掛け部４ａとなり、他の部分は低い底面４ｂとなる。【選択図】        図３
2005261243.tif 000002
【特許請求の範囲】
【請求項１】
ケ−ス内の底部に柔軟性を有する多孔質シ−トを敷設した釣り用仕掛ケ−スにおいて、前記多孔質シ−トと前記ケ−ス内の底部の間の一部に中子を介在させて台部からなる針掛け部を形成したことを特徴とする釣り用仕掛ケ−ス。
【請求項２】
中子は多孔質材で形成されていることを特徴とする請求項１記載の釣り用仕掛ケ−ス。
【発明の詳細な説明】
【技術分野】
【０００１】
本発明は、針が掛け止めしやすく改良した釣り用仕掛ケ−スに関する。
【背景技術】
【０００２】
従来疑似餌が取り付けられた針を収納するケ−スは特許文献１のように、ケ−スの壁面や支持プレ−トに鉤掛け部（スポンジ片）と保護シ−トを固定し、この鉤掛け部に針を引っかけるように差し込んでいた。
しかし、鉤掛け部と保護シ−トが同一高さで貼着されていると針が差し込みにくい。
貼着された鉤掛け部は剥がれ易い。
【特許文献１】特開平１１−１６９０４３号公報
【発明の開示】
【発明が解決しようとする課題】
【０００３】
解決しようとする問題点は、鉤掛け部と保護シ−トが同一高さで貼着されていると針が差し込みにくい。
貼着された鉤掛け部は剥がれ易い。
ことである。
【０００４】
本発明の目的は前記欠点に鑑み、針が掛け止めしやすい釣り用仕掛ケ−スを提供することである。
【課題を解決するための手段】
【０００５】
本発明の請求項１は、ケ−ス内の底部に柔軟性を有する多孔質シ−トを敷設した釣り用仕掛ケ−スにおいて、前記多孔質シ−トと前記ケ−ス内の底部の間の一部に中子を介在させて台部からなる針掛け部を形成したことを要旨とするものである。
本発明の請求項２は、中子は多孔質材で形成されていることを要旨とするものである。
【発明の効果】
【０００６】
本発明により、多孔質シ−トは台部からなる針掛け部が設けられているので針が差込み易い。
収納した仕掛け等は台部より低い面の上に載っているため、多孔質シ−トから摩擦抵抗を受けるので動き難く、絡み付くことが防止される。
【発明を実施するための最良の形態】
【０００７】
二つ折り可能な皮革や合成樹脂の台板２の上の左右に多孔質合成樹脂材からなる柔軟性を有する中子３が貼着固定され、中子３を覆って柔軟性を有する多孔質シ−ト４が台板２の上に敷設されて貼着固定されている。
台板２の周囲は縁取り５され、縁取り５の内側に台板２を二つ折りに閉じるファスナ−６が取り付けられている。
中子３を包み込むように柔軟性を有する多孔質シ−ト４が台板２の上に敷設されると、中子３の外側の多孔質シ−ト４の部分は膨出状態となって台部からなる針掛け部４ａとなり、他の部分は低い底面４ｂとなる。
【実施例１】
【０００８】
以下、図示の一実施例によって本発明を説明すると、図１は釣り用仕掛ケ−スを開いた斜視図、図２は釣り用仕掛ケ−スの断面側面図、図３は釣り用仕掛ケ−スの要部拡大断面側面図、図４は釣り用仕掛ケ−スが閉じられた斜視図である。
【０００９】
釣り用仕掛ケ−ス１は、見開き状に開閉して収納部（ケ−ス内部）を露呈させるようになっており、二つ折り可能な皮革や合成樹脂の台板２の上のケ−ス内面側の左右に多孔質材からなる柔軟性を有する中子３が貼着固定され、中子３を覆って柔軟性を有する多孔質シ−ト４が台板２の上に敷設されて貼着固定されている。
台板２の周囲は縁取り５され、縁取り５の内側に台板２を二つ折りに閉じるファスナ−６が取り付けられている。
中子３を覆う柔軟性を有する多孔質シ−ト４が台板２の上に敷設されると、中子３の外側の多孔質シ−ト４の部分は膨出状態となって台部からなる針掛け部４ａとなり、他の部分は針掛け部４ａより低い底面４ｂとなる。
したがって、釣り用仕掛ケ−ス１を図１のように見開き状に開いた時、ケ−ス内面の外部側に針掛け部４ａが形成され、中央部側に針掛け部４ａより高さの低い平面状の底面４ｂが形成されている。
針掛け部４ａから底面４ｂにかけて一体の多孔質シ−ト４が覆うため、針掛け部４ａの剥がれが防止され、針掛け部４ａから底面４ｂに向かって下がる傾斜面が多孔質シ−ト４によって形成されるため、針掛け部４ａから底面４ｂに至る間の部分においても仕掛けとの間に隙間ができにくく、仕掛けが動きにくくなる。
【００１０】
柔軟性を有する多孔質シ−ト４は合成樹脂発泡材やクロロプレンゴム等が使用されて針の先を差し込むことが可能である。
多孔質材からなる柔軟性を有する中子３はゴムや合成樹脂の発泡材やスポンジ材等が使用されて針の先を差し込むことが可能である。
中子３は針掛け部４ａを高く形成するのに都合がよく、また、針７が中子３にまで差し込まれても容易に抜き取りができるように多孔質シ−ト４より気孔率が大きい材料を用いている。
釣り用仕掛ケ−ス１の中に仕掛けの針７付の疑似餌８が収納される時は、台部からなる針掛け部４ａに針７が差し込まれ、針先は台部の多孔質シ−ト４または針掛け部４ａを差し通して中子３の中に差し込まれる。
疑似餌８は低い底面４ｂの上に載ると、多孔質シ−ト４は表面に多数の孔を有していることから摩擦抵抗を受けるので動き難く、疑似餌同士が絡み付くことが防止される。
図示の実施例では、釣り用仕掛ケ−ス１を二つ折り可能な皮革や合成樹脂の台板２をファスナ−６で二つ折りにして閉じるように図示したが、矩形の硬質合成樹脂の箱としてもよい。
【００１１】
前記のように釣り用仕掛ケ−スが構成されると、多孔質シ−ト４は凸状に形成され、台部からなる針掛け部４ａが設けられているので針７が差込み易い。
中子３は柔軟性を有する多孔質シ−ト４で包み込まれて台板２の上に貼着固定されているので針を差し込んでいるうちにちぎれて破れても多孔質シ−ト４で覆われているので針差し機能を失うことがない。
疑似餌８は低い底面４ｂの上に載っているので多孔質シ−ト４から摩擦抵抗を受けるので動き難く、疑似餌同士が絡み付くことが防止される。
【産業上の利用可能性】
【００１２】
本発明は釣り用仕掛ケ−ス全般に利用できる。
【図面の簡単な説明】
【００１３】
【図１】釣り用仕掛ケ−スを開いた斜視図である。
【図２】釣り用仕掛ケ−スの断面側面図である。
【図３】釣り用仕掛ケ−スの要部拡大断面側面図である。
【図４】釣り用仕掛ケ−スが閉じられた斜視図である。
【符号の説明】
【００１４】
１  釣り用仕掛ケ−ス
３  中子
４  多孔質シ−ト
４ａ  台部からなる針掛け部
【図１】
2005261243.tif 000003
【図２】
2005261243.tif 000004
【図３】
2005261243.tif 000005
【図４】
2005261243.tif 000006
(57)【要約】【課題】            熟した果実の梅干し、及び無塩梅干しの製造方法を提供。【解決手段】        果実を凍結した後解凍して着色、味付等を施す。【選択図】          【特許請求の範囲】
【請求項１】
果実を凍結することを特徴とした梅干しの製造方法。
【発明の詳細な説明】
【技術分野】
【０００１】
本発明は、果実を凍結した後解凍して着色味付等を施す梅干し製造方法に関するものである。
【背景技術】
【０００２】
従来より梅干しの製造方法は、果実が熟す前のまだ果肉が硬い青梅を収穫して塩漬け、乾燥着色する方法である。
【発明の開示】
【発明が解決しようとする課題】
【０００３】
熟した果実は梅特有の風味があり、熟した果実を梅干しにするのが好ましいが、熟した果実は梅干しには出来ない。又梅干しは健康に良い嗜好食品とされているが、塩分があるので重い腎臓病や高血圧症等塩分禁忌者にとっては食べることができない。
【０００４】
梅干し製造工程の第一段階は重しを効かした塩漬けにあり、熟して果肉が軟らかくなった果実は表皮が薄く重圧がかかると表皮が破れて中身が出てしまい製品にならない。又、梅干し製造に塩漬け工程は不可欠であり、減塩にすることは出来ても塩分無しには出来ない。
【課題を解決するための手段】
【０００５】
果実を凍結した後、解凍して着色、味付等を施す。
【０００６】
果実は未熟で収穫しても成熟への成長は進み、完熟から腐敗へと進むのが自然の流れである。従来の製造法は塩漬けにすることによって果実の組織を死滅させ、成熟への成長を遮断するものであり、本発明は凍結することによって果実の組織を死滅させ、成熟への成長を遮断するものである。
【発明の効果】
【０００７】
本発明には次のような効果がある。
１．熟した果実を原料に出来るので梅本来の風味を持った製品ができる。又、未熟で果肉が硬い青梅から、熟して果肉が軟らかくなった果実まで無駄なく製品にすることが出来る。
２．塩漬け時の重しが不必要になり、又重しと塩加減等塩漬け期間と労力の手間が省ける。
３．早期に製品にすることが出来る。
４．果実に重圧がかからない分、果実が圧し漬れないので中身のエキスがそのまま残り香り、味とも濃厚な製品が出来る。
５．製造工程に塩漬工程が無く、塩分含有ゼロの製品が出来るので重い腎臓病や高血圧症等塩分禁忌の人も食べることが出来る。
【発明を実施するための最良の形態】
【０００８】
木で熟した果実を収穫して凍結するほうが香り味とも最良である。
【実施例１】
【０００９】
収穫した果実を水で洗い灰汁抜きをして水を切り凍結する。完全に凍結したら常温で解凍し表面の水分を乾燥して着色味付等を施し、冷蔵庫で保存する。
【産業上の利用可能性】
【００１０】
本発明の製造方法は、塩分含有ゼロに出来るので重い腎臓病や高血圧症等塩分禁忌の人達も食べることができるし、又、熟して梅本来の風味を持つ梅干しは、酸っぱくて辛い従来のイメージを一新して、消費拡大の可能性がある。
(57)【要約】      （修正有）【課題】炊飯器内にプレートをたらして炊飯時に同時に蒸し物ができる炊飯器内蒸し台を提供する。【解決手段】炊飯器の外側にベルトをマジックテープで止めて巻きつけ、そのテープの３ヶ所につけたフックに、内ベルトをひっかけて炊飯器にたらし、アルミ又はビニール樹脂でできたプレートを内ベルトにひっかけて蒸し台とし、炊飯中に必要に応じて小鉢等をのせて使用する炊飯器内蒸し台。【選択図】図１
2005261912.tif 000002
【特許請求の範囲】
【請求項１】
炊飯器の外側にベルトを巻きつけてマジックテープで止め、そのベルトに等間隔で３ヶ所につけたフックに内ベルトをかけて炊飯器の内側にたらし、内ベルトの穴にアルミ又はビニール樹脂でつくったプレートのフックを適当な高さに調節にかけて使用する炊飯器内蒸し台。
【発明の詳細な説明】
【技術分野】
【０００１】  本発明は、炊飯器内につるして使用する蒸し台に関するものである。
〔背景技術〕【０００２】  従来、炊飯時に同時に使用する蒸し台はなかった。
〔発明の開示〕
〔発明が解決しようとする課題〕【０００３】  そのために、次のような問題点があった。
（イ）炊飯器で蒸し物をする場合、中のご飯を空にして使用する必要があった。
（ロ）炊飯器は、常時、保温されたご飯が入っている事が多く、蒸し器として使用することは余りなかった。
本発明は、これらの問題点を解決するためになされたものである。
〔課題を解決するための手段〕【０００４】  炊飯器の外側にマジックテープでベルトをまきつけ、そこに等間隔での３ヶ所のフックに穴のあいたうすいベルトをかけ炊飯器の中にたらし、そのベルトにアルミ又はビニール樹脂で作ったうすい皿をひっかける。必要に応じて数段にして使用する。炊飯中でも単独に蒸し器としても使用できる。以上を特徴とする炊飯器内蒸し台である。
〔発明の効果〕【０００５】  飲飯中に、同時に蒸し物がおいしく出来て、時間とエネルギーの節約になり、圧力があるのでとてもおいしく短時間でできる。
〔発明を実施するための最良の形態〕【０００６】  以下、本発明の実施の形態について説明する。
（イ）炊飯器の外側に外ベルト▲１▼（１１）をマジックテープ（３）で巻きつける。
（ロ）内ベルト（４）を外ベルトフック（３）にかけ、炊飯器の内側にたらす。
（ハ）内ベルト穴（５）にプレート（６）のプレートフック（７）を高さを調節しかける。
（ニ）使用目的によっては、数段とりつける。
本発明は以上のような構成で、これを使用するときは、蒸気が出るので、ふたと炊飯器の間に、ふきんをしいて使用する。（１２）又、プリンや茶わん蒸しなどには、小鉢など適宜用いて、（９）ラップをかける。（１０）必要時に、外ベルト▲２▼を巻きつける
【図面の簡単な説明】
【０００７】〔図１〕本発明使用時の斜視図（炊飯時）
〔図２〕本発明使用時の斜視図（蒸し器として使用時）
〔図３〕本発明の実施例を示す斜視図
〔図４〕本発明の一部（プレートフック）を示す斜視図
〔図５〕本発明の一部（外ベルトフックとマジックテープ）を示す斜視図
【符号の説明】
【０００８】  １  外ベルト▲１▼
２  外ベルトフック
３  マジックテープ
４  内ベルト
５  内ベルト穴
６  プレート
７  プレートフック
８  ごはん
９  小鉢
１０  ラップ
１１  水
１２  ふきん
１３  外ベルト▲２▼
【図１】
2005261912.tif 000003
【図２】
2005261912.tif 000004
【図３】
2005261912.tif 000005
【図４】
2005261912.tif 000006
【図５】
2005261912.tif 000007